(57)【要約】【課題】印刷層の見栄えをハッキリとしたものにすること。【解決手段】前印刷層２５は後印刷層２４に重ねられたものであり、前印刷層２５には傾斜部２６が形成されている。従って、印刷段差が解消されるので、前印刷層２５の見栄えがハッキリとしたものに高まる。しかも、前印刷層２５そのものにグラデーション印刷を施すことで前印刷層２５の見栄えを高める必要がなくなるので、前印刷層２５の意匠を設定する場合に制約を受けることがなくなる。【選択図】図３
2015116289.tif 000002
【特許請求の範囲】
【請求項１】
フィルムと、
前記フィルムの表面に設けられ、前記フィルムの表面から突出するものであって前記フィルムの厚さ方向に重ねられた複数の印刷層を備え、
前記複数の印刷層のうち最も表層の１つには、前記複数の印刷層のうち最も表層の１つを除いた残りから突出すると共に当該残りから遠ざかることに応じて前記フィルムのうち前記複数の印刷層と同一の表面に接近する傾斜部が設けられていることを特徴とする加飾フィルム。
【請求項２】
前面および後面を有するフィルムと、
前記フィルムの前面に設けられ、前記フィルムの前面から突出するものであって前後方向に重ねられた複数の印刷層と、
前面および後面を有するものであって、当該前面に遊技球が転動可能な遊技領域を有する透明板と、
前記フィルムの前面および前記透明板の後面間を接合する透明な粘着層を備え、
前記複数の印刷層のうち最も前の１つには、前記複数の印刷層のうち最も前の１つを除いた残りから突出すると共に当該残りから遠ざかることに応じて前記フィルムの前面に接近する傾斜部が設けられていることを特徴とするパチンコ遊技機の遊技盤。
【発明の詳細な説明】
【技術分野】
【０００１】
本発明は加飾対象物を加飾する加飾フィルムおよび当該加飾フィルムを備えたパチンコ遊技機の遊技盤に関する。
【背景技術】
【０００２】
加飾フィルムにはフィルムの表面に加飾用の印刷層が形成されたものがある。この印刷層はフィルムの表面に対して突出するものであり、印刷層の表面およびフィルムの表面間には印刷段差が生じている。この加飾フィルムはパチンコ遊技機の透明板の後面に透明な粘着層を介して接合されるものである。この透明板の前面は遊技球が転動可能な遊技領域を有するものであり、透明板の前面には障害釘が打込まれる。
【先行技術文献】
【特許文献】
【０００３】
【特許文献１】特開２０１２−３２６５２号公報
【特許文献２】特開２００８−２９８８３０号公報
【発明の概要】
【発明が解決しようとする課題】
【０００４】
上記加飾フィルムの場合には印刷層の表面およびフィルムの表面間の印刷段差の影響で印刷層の見栄えが低下する。特にパチンコ遊技機の遊技盤の場合には粘着層が印刷段差の部分でフィルムに密着しないので、透明板に障害釘を打込むときに粘着層がフィルムに対する非密着部分から剥がれる虞がある。特許文献１には印刷層そのものの周辺部にグラデーション印刷を施すことで印刷層の見栄えを高めることが記載されている。このグラデーション印刷は印刷層用の色インクのドット密度を印刷層から遠ざかることに応じて段階的に小さくするものであり、印刷層の意匠を設定する上で大きな制約となる。特許文献２にはフィルムの表面に透明インクを印刷することが記載されている。この透明インクは印刷層と同一高さに平坦に印刷されるものであり、印刷層用の色インクとは別に必要となる。
【課題を解決するための手段】
【０００５】
請求項１に記載の加飾フィルムは、フィルムと、前記フィルムの表面に設けられ前記フィルムの表面から突出するものであって前記フィルムの厚さ方向に重ねられた複数の印刷層を備え、前記複数の印刷層のうち最も表層の１つには前記複数の印刷層のうち最も表層の１つを除いた残りから突出すると共に当該残りから遠ざかることに応じて前記フィルムのうち前記複数の印刷層と同一の表面に接近する傾斜部が設けられているところに特徴を有する。
【０００６】
請求項２に記載のパチンコ遊技機の遊技盤は、前面および後面を有するフィルムと、前記フィルムの前面に設けられ前記フィルムの前面から突出するものであって前後方向に重ねられた複数の印刷層と、前面および後面を有するものであって当該前面に遊技球が転動可能な遊技領域を有する透明板と、前記フィルムの前面および前記透明板の後面間を接合する透明な粘着層を備え、前記複数の印刷層のうち最も前の１つには前記複数の印刷層のうち最も前の１つを除いた残りから突出すると共に当該残りから遠ざかることに応じて前記フィルムの前面に接近する傾斜部が設けられているところに特徴を有する。
【発明の効果】
【０００７】
１．請求項１に記載の加飾フィルムおよび請求項２に記載の遊技盤について
複数の印刷層のうち最も表層の１つに傾斜部を設けたので、印刷段差が解消される。従って、最も表層の印刷層の見栄えがハッキリとしたものに高まるので、印刷層の見栄えを高めるための専用の透明インクが不要になる。しかも、印刷層そのものにグラデーション印刷を施すことで印刷層の見栄えを高める必要がなくなるので、印刷層の意匠を設定する場合に制約を受けることがなくなる。
２．請求項２に記載の遊技盤について
複数の印刷層のうち最も前の１つに傾斜部を設けたので、粘着層がフィルムの前面に加えて最も前の印刷層の前面の全域に密着する。従って、粘着層に非密着部分がなくなるので、透明板に障害釘を打込むときに粘着層が非密着部分から剥がれる虞がなくなる。
【図面の簡単な説明】
【０００８】
【図１】パチンコ遊技機の外観を斜め前方から示す図
【図２】遊技盤を前方から示す図
【図３】図２のＸ線に沿う断面図
【図４】印刷層を示す図
【発明を実施するための形態】
【実施例１】
【０００９】
パチンコホールの台島には、図１に示すように、外枠１が設置されている。この外枠１は前面および後面のそれぞれが開口する四角筒状をなすものであり、外枠１には外枠１の前方に位置して内枠２が装着されている。この内枠２には上皿３と下皿４と発射ハンドル５が装着されている。上皿３は賞品として払出される遊技球を受けるものであり、下皿４は上皿３内から溢れた遊技球を受けるものであり、いずれも上面が開口する容器状をなしている。発射ハンドル５は遊技者が前方から手指で操作するものであり、発射ハンドル５が操作された状態では上皿３内の遊技球が上皿３内から弾き出される。
【００１０】
内枠２には、図１に示すように、上皿３の上方に位置して前枠６が装着されている。この前枠６は内枠２の前方に配置されたものであり、前枠６には透明なガラス窓７が固定されている。この前枠６の後方には、図２に示すように、垂直な板状の遊技盤８が配置されている。この遊技盤８は内枠２に固定されたものであり、前枠６のガラス窓７は遊技盤８を前方から視覚的に認識可能に覆っている。
【００１１】
遊技盤８の前面には、図２に示すように、外レール９と内レール１０と球止めゴム１１が固定されており、外レール９および内レール１０間には発射通路１２が形成されている。この発射通路１２は外レール９および内レール１０間の円弧状の隙間を称するものであり、上皿３内から弾き出された遊技球は発射通路１２を通して遊技領域１３内に放出される。この遊技領域１３は外レール９と内レール１０と球止めゴム１１で囲まれた領域のうち発射通路１２を除く残りの領域を称するものである。この遊技領域１３内には前方から複数の障害釘１４が打込まれており、遊技領域１３内に放出された遊技球は障害釘１４に当りながら遊技領域１３内を落下する。
【００１２】
遊技盤８の前面には、図２に示すように、始動口１５および特別入賞口１６が固定されている。始動口１５は上面が開口するポケット状をなすものであり、遊技球が始動口１５内に入賞した場合には大当りであるか否かが判定される。特別入賞口１６は前面が開口する箱状をなすものであり、特別入賞口１６には扉１７が装着されている。この扉１７は左右方向へ指向する軸を中心に閉鎖状態および開放状態間で回転可能にされたものであり、大当りと判定された場合には扉１７が閉鎖状態から開放状態とされる。この扉１７は閉鎖状態で特別入賞口１６の前面を遊技球が入賞不能に閉鎖するものであり、扉１７の開放状態では遊技球が扉１７に乗って特別入賞口１６内に入賞可能になる。
【００１３】
遊技盤８の後方には、図２に示すように、賞球払出し装置１８が固定されており、遊技球が始動口１５内および特別入賞口１６内のそれぞれに入賞した場合には賞球払出し装置１８から上皿３内に単位個数の遊技球が賞品として払出される。遊技盤８には表示台枠１９が固定されている。この表示台枠１９には図柄表示器２０が装着されており、大当りであるか否かが判定された場合には図柄表示器２０に左列の図柄要素と中列の図柄要素と右列の図柄要素のそれぞれの変動表示が開始される。これら３列のそれぞれの図柄要素の変動表示は図柄要素を（１）→（２）→（３）→（４）→（１）・・・の循環的な一定順序で変化させるものであり、大当りと判定された場合には３列の図柄要素の変動表示が停止することで３列の図柄要素が相互に同一な大当りの組合せとなり、大当りでないと判定された場合には３列の図柄要素の変動表示が停止することで３列の図柄要素が相互に同一でない外れの組合せとなる。
【００１４】
遊技盤８は、図３に示すように、透明板２１の後面に加飾フィルム２２を接合してなるものであり、加飾フィルム２２はフィルム２３と後印刷層２４と前印刷層２５から構成されている。この遊技盤８の詳細は次の通りである。
【００１５】
図３のフィルム２３はポリエチレンテレフタレート樹脂を材料とする透明なものであり、フィルム２３の前面には後印刷層２４が形成されている。この後印刷層２４は、図４に示すように、絵柄（１１）を構成するものであり、フィルム２３の前面に有色な色インクをオフセット印刷することで形成されている。この後印刷層２４は、図３に示すように、フィルム２３の前面に対して前へ突出するものであり、印刷層に相当する。
【００１６】
フィルム２３の前面には、図３に示すように、前印刷層２５が形成されている。この前印刷層２５は、図４に示すように、後印刷層２４に対して相似の関係にある絵柄（１１）を構成するものであり、後印刷層２４に比べて輪郭形状が大に設定されている。この前印刷層２５はフィルム２３の前面に後印刷層２４と同色な色インクをオフセット印刷することで形成されたものであり、図３に示すように、後印刷層２４の前面に前から重ねられている。この前印刷層２５は後印刷層２４と合わせて濃度が目標値となるように印刷されたものであり、後印刷層２４および前印刷層２５のそれぞれの濃度は当該目標値に比べて淡く設定されている。この前印刷層２５は遊技盤８を加飾するものであり、印刷層に相当する。
【００１７】
前印刷層２５には、図３に示すように、傾斜部２６が形成されている。この傾斜部２６は後印刷層２４の輪郭線からはみ出した部分であり、後印刷層２４から遠ざかることに応じてフィルム２３の前面に接近する傾斜状をなしている。この傾斜部２６は印刷段差を解消するものであり、後印刷層２４の輪郭線からはみ出す幅寸法が一定の０．３ｍｍに設定されている。
【００１８】
フィルム２３の前面には、図３に示すように、基材レス両面テープ２７を介して透明板２１の後面が接合されている。透明板２１はポリカーボネート樹脂を材料とするものであり、複数の障害釘１４は前から透明板２１の前面に打込まれ、外レール９と内レール１０と球止めゴム１１と始動口１５と特別入賞口１６と表示台枠１９のそれぞれは透明板２１の前面に前から釘を打込むことで固定され、遊技領域１３は透明板２１の前面に設定されている。
【００１９】
基材レス両面テープ２７は透明な粘着材に剥離ライナーを貼付してなるものであり、粘着材を保持する基材を持たない透明なものである。即ち、前印刷層２５は、図２に示すように、前から透明板２１および基材レス両面テープ２７を通して視認可能にされたものであり、意匠として機能する。この基材レス両面テープ２７はフィルム２３の前面および前印刷層２５の前面に密着するものであり、図３に示すように、前印刷層２５の前面に傾斜部２６でも密着している。この基材レス両面テープ２７は粘着層に相当するものであり、厚さ寸法が５０μｍに設定されている。
【００２０】
上記実施例１によれば次の効果を奏する。
後印刷層２４および前印刷層２５のうち前側の前印刷層２５に傾斜部２６を設けたので、印刷段差が解消される。従って、前印刷層２５の見栄えがハッキリとしたものに高まるので、印刷層の見栄えを高めるための透明インクが不要になる。しかも、前印刷層２５そのものにグラデーション印刷を施すことで前印刷層２５の見栄えを高める必要がなくなるので、前印刷層２５の意匠（絵柄）を設定する場合に制約を受けることがなくなる。しかも、フィルム２３の前面の全域に透明インクを印刷することで印刷層の見栄えを高める場合とは異なり、フィルム２３のうち前印刷層２５がない領域の透明度を落とすこともなくなる。
【００２１】
前印刷層２５に傾斜部２６を設けたので、基材レス両面テープ２７がフィルム２３の前面に加えて前印刷層２５の前面に傾斜部２６でも密着する。従って、基材レス両面テープ２７に非密着部分がなくなるので、透明板２１に障害釘１４を打込むときに基材レス両面テープ２７が非密着部分から剥がれる虞がなくなる。しかも、基材レス両面テープ２７の前後方向の厚さ寸法を厚くすることで基材レス両面テープ２７の追従性を高め、基材レス両面テープ２７の追従性を高めることで基材レス両面テープ２７を印刷段差の部分でフィルム２３の前面に密着させる必要がなくなる。従って、基材レス両面テープ２７が厚くなることに応じて基材レス両面テープ２７の透明度が低下し、基材レス両面テープ２７の透明度が低下することに応じて前印刷層２５の見栄えが低下する虞がなくなる。
【００２２】
一般的にポリカーボネート樹脂はアウトガスを発生する性質がある。このため、ポリカーボネート樹脂製の透明板２１の場合には基材レス両面テープ２７が透明板２１からのアウトガスで膨らむことに応じて基材レス両面テープ２７の透明板２１に対する密着性が低下するので、多孔質の基材レス両面テープ２７が使用される。この多孔質の基材レス両面テープ２７は厚くて透明度が高くないものの、前印刷層２５の見栄えの低下が傾斜部２６の効果で抑えられる。
【００２３】
上記実施例１においては、透明板２１をガラスで成形またはアクリル樹脂にゴムが添加された材料で成形しても良い。
上記実施例１においては、フィルム２３に換えて有色なフィルムを用いても良い。
【００２４】
上記実施例１においては、フィルム２３に後印刷層２４をスクリーン印刷しても良い。
上記実施例１においては、フィルム２３に前印刷層２５をスクリーン印刷しても良い。
上記実施例１においては、後印刷層２４および前印刷層２５のうちの一方をスクリーン印刷し、残りをオフセット印刷しても良い。
【００２５】
上記実施例１においては、フィルム２３の前面に印刷層を３層以上に重ねて印刷しても良い。この場合には最も前の１つの印刷層に残りの印刷層から突出すると共に残りの印刷層から遠ざかることに応じてフィルム２３の前面に接近する傾斜部を設けることが好ましい。
【００２６】
上記実施例１においては、後印刷層２４を前印刷層２５とは異なる色彩に設定しても良い。
上記実施例１においては、後印刷層２４を透明に設定しても良い。
【００２７】
上記実施例１においては、加飾フィルム２２を始動口１５または特別入賞口１６または表示台枠１９等の透明板２１とは異なる加飾対象物に接合しても良い。
【符号の説明】
【００２８】
８は遊技盤、１３は遊技領域、２１は透明板、２２は加飾フィルム、２３はフィルム、２４は後印刷層（印刷層）、２５は前印刷層（印刷層）、２６は傾斜部、２７は基材レス両面テープ（粘着層）である。
【図１】
2015116289.tif 000003
【図２】
2015116289.tif 000004
【図３】
2015116289.tif 000005
【図４】
2015116289.tif 000006